(57)【特許請求の範囲】
【請求項１】
搬送された圧雪塊を投入するためのホッパーが上部中央に設置され且つ下部に融雪処理された融水を蓄積する湯槽を備えた筐体と、前記ホッパーに続いて筐体内に設置され、投入された圧雪塊を中間に導入し、温水噴射管による融雪処理の直前にて圧雪塊を粉細する針状部材の植設された針状ローラを対向配置した一対の回転ブラシと、粉細された落下雪を受容しその下方へ流動を許容するスロープを具える傾斜板構造体と、前記落下雪を融解するため、傾斜板の上流位置及び下流位置の間に流れを横切る方向に多段に設置されると共に、上流及び下流に多段に設置の温水噴射管から温水を流れ方向へ噴水することにより、初段において、粉細雪を融解しつつ傾斜板上を流下させ、次段以降の各段において、含まれる融雪塊を融解しつつ傾斜板上を流下させることのできる複数段の温水噴射管と、前記温水噴射管への給送水を加熱する加熱手段とを備えることを特徴とする圧雪塊粉細・温水多段噴射融解型融雪処理装置。
【請求項２】
請求項１において、前記スロープを具える傾斜板構造体を、断面傘状に配列される傾斜板により長いスロープに構成し、落下雪を分流可能とし、分流される各流下方向で複数段のスロープを形成すると共にこれら複数段のスロープの各上流において流れ方向へ温水を噴水し粉細雪ないし融雪塊を融解しつつ傾斜板上を流下させる温水噴射管を配設し、これにより粉細雪の溶解を多段に処理可能としたことを特徴とする圧雪塊粉細・温水多段噴射融解型融雪処理装置。
【請求項３】
請求項１において、前記スロープを具える傾斜板構造体を、筐体内にジグザグ状に配置した傾斜板により長いスロープに構成し、複数段のスロープを形成すると共に、このジグザグ状スロープの各段の上流において流れ方向へ温水を噴水し粉細雪ないし融雪塊を融解しつつ傾斜板上を流下させる温水噴射管を配設し、これにより粉細雪の溶解を多段に処理可能としたことを特徴とする圧雪塊粉細・温水多段噴射融解型融雪処理装置。
【請求項４】
請求項１において、前記スロープを具える傾斜板構造体を、螺旋状の傾斜板により長いスロープに構成し、螺旋状のスロープにより形成すると共に、この螺旋状スロープの周側面に沿って流れ方向へ温水を噴水し粉細雪ないし融雪塊を融解しつつ傾斜板上を流下させる温水噴射管を多段に配設し、これにより粉細雪の溶解を多段に処理可能としたことを特徴とする圧雪塊粉細・温水多段噴射融解型融雪処理装置。
【請求項５】
請求項１ないし４のいずれかにおいて、スロープ終端の近傍に、対向配置した一対のゴムローラーになり、残余の氷片を破潰可能な氷片破潰ローラを設置したことを特徴とする圧雪塊粉細・温水多段噴射融解型融雪処理装置。
【請求項６】
請求項１ないし５のいずれかにおいて、前記湯槽に、その内部に向けて前記加熱手段に接続される第３の温水噴射管を突設配備すると共に、前記湯槽の底部中央に廃物蓄積凹所を形成し、前記第３の温水噴射管により湯槽内に旋回流を創生して湯槽内に流下した融雪の融解を促進すると共に、旋回流による遠心作用により融雪から分離された小石類等の挟雑不純物を湯槽中央の廃物蓄積凹所に集積沈殿させ、分離可能としたことを特徴とする圧雪塊粉細・温水多段噴射融解型融雪処理装置。
【発明の詳細な説明】
【技術分野】
【０００１】
本発明は、融雪装置に関し、特に除雪車に牽引して走行させながら、除雪車からの搬送された雪を集中的に処理する融雪処理装置に関する。
本発明は、詳細には、除雪車によりベルトコンベア等を介して搬送された圧雪塊を一旦粉細して粉末状にし、下方に設置の傾斜状の降雪滑流案内する傾斜板へと導き、当該案内傾斜板の上流箇所及び下流箇所の少なくとも二箇所で、粉末状乃至シャーベット上の雪に温水を噴射させて瞬時に融雪しながら降雪滑流案内傾斜板上を流下させ、流下した融雪を貯湯槽に導いて蓄積し、貯湯槽の内部でもさらに温水の噴射による融雪処理ができる工夫を備えている。
本発明は、除雪車から搬送された圧雪塊が、粉細処理が施こされた後でも、瞬時には融雪することのない固い氷が混じった場合が発生する恐れがあるので、さらに貯湯槽内で融解手段として貯湯を温水の噴射により攪拌する手段が設けられている。したがって、貯湯槽内に設けられた攪拌手段により融解環境を整えることによって、固い氷の場合でも確実に融解することが可能となる。
以上のように、本発明は、除雪車等から搬送された雪をすべて確実に融解処理することができる圧雪塊粉細・温水多段噴射融解型融雪処理装置を提供する。
【背景技術】
【０００２】
冬季において、積雪の多い地方、地域での除雪の労は大変なもので、少子高齢化の時代を迎え、除雪作業の負担が高齢化社会の地方、住民の毎日の生活に多大な影響を及ぼすようになっている。特に、雪の多い各都道府県の地方自治体では、「除雪人件費」等を含めて除雪対策費用は莫大なもので、その費用による赤字が続いている地域も多く、地方自治体の財政負担のみならず市町村民の生活にも影響を与えている。
【０００３】
また、除雪しても側道に盛積みされた積雪を大きな河川等に廃棄するための運搬が必要となり、高価な除雪機械を予め購入保管管理しておかねばならないことと併せて、稼動時には除雪運搬トラック等による搬送時に交通渋滞を招くなど、その後の処理に問題を抱えるものであった。また、除雪後の処理に莫大な費用が掛かったり、道路や敷地内でのトラブルなどもこの雪によって起こっている。
かかる財政難の厳しい状況から、新しい開発も進められない地域も多く、そこで、地方自治体等から、除雪費用の大半を占めている「除雪人件費」を削減して、短時間で融雪する装置の出現が望まれていた。
近年、下水等に設置されたごみ等を捕集する手段が、却って流雪により堰き止められ、溢水を発生し、路面を水浸しとし、早朝には氷結路面となるため、走行車両の事故を発生するおそれがあるため、積雪の下水等への廃棄を規制強化する傾向が現れはじめてもいる。
【０００４】
本発明はかかる状況下にあって、それらの問題等々を改善するために発明したものである。本発明の装置によれば、道路の除雪車に付加した融雪装置により、除雪機による除雪と併せて除雪しながら同時に融雪し、除雪後の側道への盛雪が排除できるため、積雪スペースを不要に出来るという利点と、公道の確保のための除雪や路家庭の庭や空地、大型店の駐車場などの除雪も、融雪により確実に短時間で行なえることである。
また、道路脇の除雪後に盛られた積雪が陽気による融雪と寒気による氷結の繰り返しで氷質の高い除雪盛の場合には、その融雪処理を十分に実行する上で問題を残していた。
【０００５】
公知の融雪装置として回転破砕式融雪装置（特開２００１−３１７０２３）は、融雪槽の下部にバーナー装置を備え、また融雪装置の内部に、水平方向回転する上下一対の網目構造を持ち相互に正逆反転する円形部材を備え、投下する氷雪を効果的に粉細し、融雪効率を高めるものであるとする。
しかし、その粉細手段は網目構造を持ち相互に反転回転する上下一対の水平円形部材によるものであり、特殊の構造を有しているため高価であるばかでなく、またカキ氷作製に際して押圧対処の工夫が必要であるのに対し、その工夫がないため、一対の水平円形部材上に積雪されたままの状態になり勝ちとなり、円滑な投下する氷雪の粉細落下処理ができないなど、実用面でまだ問題を残すものであった。この場合、さらに、除雪の際に雪に包含された小石などを排除することができないという問題もあった。
【０００６】
また、公知の融雪装置としての自走型融雪装置（特開２００５−９０８５）は、台車とオーガハウジングと熱風発生装置とからなり、オーガハウジング内部の粉細オーガにより圧雪や氷となった雪を粉細し、この粉細した雪を熱風により融雪し、融雪作業を効率的に向上して処理できるものである。
しかし、融解は熱風によるため、氷に場合にその粉細した雪を熱風のみで融解するには強力な熱風源を必要とし、また特殊なオーガハウジングを設置するため、高価となるものであり、更に除雪の際に雪に包含された小石などを排除することができないため、これらを対処するための上で、なお課題を残すものであった。
【０００７】
さらに、融雪攪拌羽根機構を備えた融雪車（特開平１０−２９２３３３）は、ホッパーからの投入した雪を熱風、熱水の噴射により融解し、さらに融雪槽内に設置した、導水路を形成する回転軸及びその円周方向に連設された羽根により、これから熱水を噴射して融雪処理するものである。
しかし、この場合、熱風、熱水の噴射により融解されるとする雪は、ホッパーからの投入した雪そのものであり、圧搾された雪塊や、小石を付着し乃至は内蔵した雪の場合には、雪の塊が大きいゆえに、熱風、熱水の噴射によって完全に融解し切れないまま、雪塊を保持したまま攪拌機で攪拌処理されることになる。熱風、熱水の噴射を受ける経路が短いため、熱水処理される攪拌機による攪拌処理によってもシャーベット状として残されたままとなり、融解処理としては、不完全さを残すなどの問題を有するものであった。
【０００８】
【特許文献１】特開２００１−３１７０２３
【特許文献２】特開２００５  −９０８５
【特許文献３】特開平１０−２９２３３３
【発明の開示】
【発明が解決しようとする課題】
【０００９】
本願発明は、上記の事情に鑑み、搬送された雪を一旦粉細して粉末状にし、下方に設置の傾斜状の降雪滑流案内傾斜板へと導き、降雪滑流案内傾斜板の上流箇所及び下流箇所の二箇所で温水を噴射させて瞬時に融雪しながら降雪滑流案内傾斜板上を流下し、流下した融雪を貯湯槽に蓄積し、貯湯槽の内部でもさらに融雪処理ができる工夫を備えている。
本発明では、雪の粉細処理装置として、一対の鋼鉄製針金を形成した送りローラを用いているので、搬送された雪塊は、これが小石を含んだ雪塊であってもこれを微細に粉細処理できるので、単純構造をもつ一対の鋼鉄製針金包囲送りローラにより小石を含んだ雪塊であっても簡単に小石を分離しながら雪塊を粉細処理することができ、安価な、圧雪塊粉細・温水多段噴射融解型融雪処理装置（以下「粉細・多段融解型融雪装置」と略称する。）を提供することである。
本発明は、従来除雪車から搬送された雪塊が、粉細処理が施こされた後、傾斜板の少なくとも上流下流の二箇所において多段に融解融雪処理を実行することにより融雪処理の促進を図り、また、瞬時に融雪し難い固い氷が混じった場合が発生する恐れがある場合でも、これに対処するため、さらに貯湯槽内にも融解手段として貯湯を温水の噴射により攪拌する温水噴射管を設けることができるものである。したがって、貯湯槽内に設けられた温水噴射管になる攪拌手段によって固い氷をも確実に融解することができる。
本発明は、除雪車からの搬送された雪を確実に融解処理することができる粉細・多段融解型融雪装置を提供するものである。
【課題を解決するための手段】
【００１０】
本発明は、搬送された圧雪塊を投入するためのホッパーが上部中央に設置され且つ下部に融雪処理された融水を蓄積する湯槽を備えた筐体と、前記ホッパーに続いて筐体内に設置され、投入された圧雪塊を中間に導入し、温水噴射管による融雪処理の直前にて圧雪塊を粉細する針状部材の植設された針状ローラを対向配置した一対の回転ブラシと、粉細された落下雪を受容しその下方へ流動を許容するスロープを具える傾斜板構造体と、前記落下雪を融解するため、傾斜板の上流位置及び下流位置の間に流れを横切る方向に多段に設置されると共に、上流及び下流に多段に設置の温水噴射管から温水を流れ方向へ噴水することにより、初段において、粉細雪を融解しつつ傾斜板上を流下させ、次段以降の各段において、含まれる融雪塊を融解しつつ傾斜板上を流下させることのできる複数段の温水噴射管と、前記温水噴射管への給送水を加熱する加熱手段とを備えることを特徴とする圧雪塊粉細・温水多段噴射融解型融雪処理装置を提供する。
【００１１】
本発明は、ホッパーに続いて筐体内に設置される、上記した一対の回転ブラシにより、温水噴射管による融雪処理の直前にて圧雪塊を粉細すると共に、一枚又は複数の傾斜板になる傾斜板構造体を備えてなり、これによりスロープを形成して具える一つのスロープにおいて、その上流位置及び下流位置の間に、流れを横切る方向に温水噴射管を多段に設置し、これらの温水噴射管により、多段の各設置位置で温水を流れの方向へ噴射して融解融雪することを基本とするものである。
本発明は、その変形として、スロープを長いスロープとして具える傾斜板構造体の形態について、一つは、前記傾斜板構造体を断面傘状に配列された傾斜板により長いスロープに構成し、落下雪を分流可能とし、分流される各流下方向において、スロープを複数段に形成し、これにより長いスロープとして形成すると共にこれら複数段のスロープの各上流において温水噴射管を配設したり、また他の一つは前記傾斜板構造体を筐体内にジグザグ状に配置した傾斜板により長いスロープに構成し、複数段のスロープにより長いスロープを形成すると共に、このジグザグ状スロープの各段の上流において温水噴射管を配設したり、さらに他の一つは前記傾斜板構造体を、螺旋状の傾斜板により長いスロープに構成し、螺旋状のスロープを形成すると共に、この螺旋状スロープの周側面に沿って多段に温水噴射管を配設することによって、前記の粉細雪の溶解を多段に処理可能とする圧雪塊粉細・温水噴射融解型融雪処理装置をも提供する。
【００１２】
本発明は、上述の発明の傾斜板における追加の付設装置として、スロープ終端の近傍に、対向配置した一対のゴムローラーになり、残余の氷片を破潰可能な氷片破潰ローラを設置する圧雪塊粉細・温水噴射融解型融雪処理装置をも提供する。
【００１３】
さらに本発明は、上述の発明の筐体における追加の付設装置として、前記湯槽に、その内部に向けて前記加熱手段に接続される第３の温水噴射管を突設配備すると共に、前記湯槽の底部中央に廃物蓄積凹所を形成し、前記第３の温水噴射管により湯槽内に旋回流を創生して湯槽内に流下した融雪の融解を促進すると共に、旋回流による遠心作用により融雪から分離された小石類等の挟雑不純物を湯槽中央の廃物蓄積凹所に集積沈殿させ、分離可能としたことを特徴とする圧雪塊粉細・温水噴射融解型融雪処理装置を提供する。
【発明の効果】
【００１４】
本発明の圧雪塊粉細・温水噴射融解型融雪処理装置に係る発明によれば、除雪のため除雪車又は人力により粉細・融雪処理装置に投入されたとき、それらの雪の塊を微細な雪に粉細処理し、この粉細処理された雪を傾斜板の傾斜面に沿って案内すると共に、案内された粉細雪に、一枚の傾斜板の上流及び下流の複数個所に流れを横切る方向で設置の温水噴射管から流れ方向に温水を多段に噴射することによって、これら簡単な装置により粉細雪を容易迅速に融解することができる。この場合、その融水を回収湯槽に蓄積し、この回収湯槽の融水を粉細・融雪処理装置に別途設置の加熱手段により温水噴射管へと再循環させるポンプ、配管手段を備えている。特に、バケットホッパーに搬送された除雪の雪塊は、小石を含んだ場合でも一対の回転ブラシによって効果的に分離して粉細されるので、これによって、粉細雪が迅速に効果的に溶融されることとなり、融雪処理装置として従来にも増して除雪の一層完全な融解を達成することができるという利点がある。もちろん、融雪処理の加熱手段、融水循環手段を備えて一つの完結した単独の圧雪塊粉細・温水噴射融解型融雪処理装置として、人力作業用の小型化装置として提供することが可能となる。
なお、温水噴射管から噴射する加熱水は、熱湯であれば雪塊の融解をより一層迅速に実行できるものであったが、熱湯の供給装置を設備することは高価となり、費用対効果の観点から経済的に顕著な効果は期待できず実用上のメリットは少ないものであり、むしろ、温水の噴射を多段に受け得ることのできるようにスロープを長くすることで温水でも融雪を効果的に行なうことが判明した。このことから、本願発明に係る融雪処理装置は必ずしも熱湯である必要はなくなった。
【００１５】
本発明の圧雪塊粉細・温水多段噴射融解型融雪処理装置に係る傾斜板の形態に特徴を有する発明として、上記における傾斜板により形成されるスロープを長く採るため、一つは、前記傾斜板を断面傘状に配列して落下雪を分流可能とし、分流される各流下方向で複数段のスロープにより長いスロープとして形成すると共にこれら複数段のスロープにおいて温水噴射管を配設するものであり、また他の一つは、前記傾斜板を筐体内にジグザグ状に配置して複数段のスロープにより長いスロープを形成すると共に、このジグザグ状スロープの各段において温水噴射管を配設するものである。さらに他の一つは前記傾斜板を螺旋状のスロープにより長いスロープとして形成すると共に、この螺旋状スロープの周側面に沿って多段に温水噴射管を配設するものである。このようにスロープの多段化又はスロープの螺旋化により長いスロープを形成した上で、温水を多段噴射することによって、前記の粉細雪の溶解を多段に融解融雪し効果的に融雪処理可能とすることができる。
【００１６】
本発明は、上述の発明の傾斜板における追加の付設装置として、スロープ終端の近傍に、残余の氷片を破潰可能な氷片破潰ローラを設置することが出来る。この場合には、この氷片破潰ローラは、一対のゴム製の弾性ローラであり、スロープ上温水噴射によっても融解できなかった氷片が存在したとき、小石を含んだものであっても、この氷片は弾性ローラ間に加圧下に挟持されることで、簡単に液状化され、融解処理の完全化を図った上で融水槽へと導かれる。
【００１７】
さらに本発明は、上述の発明の筐体における追加の付設装置として、その前記湯槽に、前記加熱手段に接続される第３の温水噴射管を前記湯槽内に向けて突設配備すると共に、その中央底部に廃物蓄積凹所が形成される場合には、第３の温水噴射管により前記湯槽内に旋回流を創生して湯槽内に流下した融雪の融解を促進すると共に、旋回流による遠心作用により融雪から分離された小石類等の挟雑不純物を、中央に集積沈殿させることにより、効果的に分離し排除することが出来、したがって、装置の作動系内に挟雑不純物が混入しないように排除することでき、温水噴射口の目詰まり等の発生を防止し、以って装置の長寿命化を図ることができ利点がある。
【発明を実施するための最良の形態】
【００１８】
本発明の圧雪された雪塊の粉細処理手段として、一対の送りローラは、鋼鉄製針金を表面に形成したローラを採用するものであるが、これに限らず、家庭用の小型の融雪機とする場合には、一層の廉価性が求められることから、たわしの針状材料を選択して作成することも可能である。針状部材の植設されたローラ表面の構造としては、針植設密度を均一にしてもよいが、表面に螺旋状やジグザグ状などの浅い溝、回転方向で深さが浅くなる溝などの工夫をした溝を設けることもでき、これによって、小石や硬い氷塊を含んだ場合にも圧雪塊の粉細処理を一層容易に円滑にすることが可能となる。
【００１９】
融雪処理装置は、除雪車に牽引するものとして実施例を示めしたが、リヤカー式の小型人力走行型とすることもできる。
【００２０】
本発明は、特に春先の陽気で積雪の融雪が繰り返した場合、その雪盛には氷片を多く含むものであるが、この氷片を多く含んでいる雪盛を除雪した場合においても、その搬送された投入圧雪塊を融雪処理装置で処理する際には、その融解融雪を効果的にするために、スロープ終端の近傍に、残余の氷片を破砕可能な氷片破砕ローラを設置することができるものである。その氷片破砕ローラによる処理において、この氷片破砕ローラは一対のゴム製の弾性ローラになるものであって、スロープ上の流動過程で最初の温水噴射によっても融解できなかった氷片も、長いスロープを流下中に多段の温水噴射によって氷片はシャーベット化されているので、最終段でさらに弾性ローラ間に加圧下に挟持されるときには簡単に液状化され、したがって融解処理の完全化を図ることができる。
なお、氷片破砕ローラの設置に関しては、螺旋状のスロープの場合には、流通路が特に長く採れることから、多段温水噴射される長いスロープの流動中に氷片を略完全に融解を出来るので、この氷片破砕ローラの設置を省略することが出来る。
【実施例１】
【００２１】
図１には、本発明の粉細・多段融解型融雪装置Ｓを牽引可能に連結して使用する除雪機Ｌが、模式的に示される。ここで図１（ａ）は側面から見た概要図を、図１（ｂ）は平面上で見た概要図をそれぞれ示す。
図１において、本発明の粉細・多段融解型融雪装置Ｓは、連結器Ｊにより除雪車Ｌに牽引可能に連結され、融水を蓄積する湯槽９を内側に設けた筐体８を備え、湯槽９の上端には除雪の投入を受けるホッパー１を有している。
ここで一般に使用されているショベルローダー等の除雪車Ｌが進行すると、傾斜湾曲ショベルＡにより雪は傾斜下方に移動集合させられ、側方に隣設したコンベアＢ上に滑り上げるように案内される。さらに、除雪車Ｌが進行するにしたがって押し上げられた雪は、多段のコンベアＢに乗せられ、雪送給ガイドＣへと搬送案内され、最終的に、本発明の粉細・多段融解型融雪装置Ｓのホッパー１に投入される。
【００２２】
図２は、図１の粉細・多段融解型融雪装置Ｓに係り、図１（ｂ）の矢視線Ａ−Ａに沿って見た、本発明の粉細・多段融解型融雪装置Ｓの断面概要図であり、粉細・多段融解型融雪装置Ｓに係る駆動装置を主として説明するための図である。
図２（ｂ）において、粉細・多段融解型融雪装置Ｓは、針状部材の植設された一対のローラ２ａ，２ａからなる雪塊粉細用の回転ブラシ２と、その駆動機構７として、モータ７ａ、ベルト７ｂ、プーリー７ｃ、歯車７ｄ等を備える。前記回転ブラシ２は、粉細・多段融解型融雪装置Ｓの内側ボックス型の湯槽９上部で、ホッパー１出口に面して配備され、そのブラシ回転駆動機構７を構成する前記各部品は、粉細・多段融解型融雪装置Ｓの外側筐体８と湯槽９の間の空間（図面上進行方向に向かって左側の空間）に設置される。したがって、モータ７ａの回転が、ベルト７ｂを介して噛合い歯車７ｄに伝達され、各噛合い歯車にそれぞれベルト７ｆを介して回転ブラシ２の受動輪に伝達され、針状部材の植設された一対のローラ２ａ，２ａが回転駆動される。
回転ブラシ２を構成する針状部材の植設された一対のローラ２ａ，２ａは、図３に示すように、ローラーの表面に針状部材が植設されている。一対のローラ間に搬送されてきた圧雪塊は、ローラー表面に針状部材により粉細される。一対のローラ２ａ，２ａの配設構造において、図示省略しているが、雪質によって粉細円滑に実行されるようにローラ間隔調節できる構造を採用することもできる。
【００２３】
次に、図４にしたがって、ホッパー１から投入された圧雪塊の処理状態について述べる。
処理機構としては、次の工夫がある。
融雪装置Ｓは、外側の筐体８と内側に設けられる箱状の湯槽９との二重箱構造をなしており、両者の底部分にスペーサの介在により離間して設置される。湯槽９の底部中央には筐体８の底部からさらに下方に突出する凹部９ａが形成され，凹部９ａは後述するように廃物貯蓄部を構成する。
また、筐体８と湯槽９箱体の側方の空間として、前側方空間にはガスボンベ１２ａ、瞬間湯沸かし器１２ｂからなる加熱手段１２が設置され、側方空間には、前述したように一対のローラ２ａ，２ａを駆動するためのブラシ回転駆動機構７が設けられる。  湯槽９の後方には仕切り板９ｃ，９ｄによりそれぞれ回収湯槽１０、排水槽１１に仕切られている。仕切り板９ｃの下方は開放されて両室は連通されており，湯槽９と回収湯槽１０は同じ水位に保持され、一方、仕切り板９ｄにはオーバーフロー口などのオーバーフロー機構が設けられているので、所定の水位以上では、回収湯槽１０から排水槽１１へと排水されるものとなっている。なお、前記回収湯槽１０には、水中ポンプ１４ａ、配管１４ｂからなる循環給水手段１４が設置される。
また、その上部にホッパー１が設置された湯槽９の内部には、ホッパー１の下方に、回転ブラシ２を構成する針状部材の植設された一対のローラ２ａ，２ａが設置される。ローラローラ２ａ，２ａの下部に接して斜め下方に向かうように内部空間を覆う拡大飛散防止用板６が設置形成される。この拡大飛散防止用板６は、図示のように、第二温水噴射管３ｂにより一部を支持させることができる。拡大飛散防止用板６の下方内側に位置して第一温水噴射管３ａが、回転ブラシ２による粉細処理の雪がこの第一温水噴射管３ａに飛散積雪することがないように、積雪防止庇４により保護されながら設置配設され、
第一温水噴射管３ａの下部に接して傘型の傾斜板５が設置され、第一温水噴射管３ａからの温水で、傾斜板５への積雪はさらに融解され、傾斜板５上を円滑に流下可能となっている。その際、傾斜板５の下流先端には、小高い堰が形成してあるので、表面は常に流水量が確保されるので円滑に流下を保証する。
筐体内側の湯槽９は、内部の傾斜板５上を流下する温度の下がった融雪水を貯留する湯槽９を形成している。湯槽９の底部には、瞬間湯沸かし器１２ｂから温水を湯槽９内に送り込み、湯槽９内で湯の回転渦を作り出す工夫がある。
拡大飛散防止用板６を支持することのできる第二温水噴射管３ｂは、第一温水噴射管３ａからの温水により傾斜板５への積雪を融解して、流下されてくる融水の後流部分に、第二温水噴射管３ｂより温水を噴射するものであり、これにより融雪をさらに確実にするものである。
【００２４】
以上、粉細・多段融解型融雪装置Ｓによる融水処理メカニズムについて説明する。
粉細・多段融解型融雪装置Ｓの雪投入口のホッパ１から圧雪塊を投入する。投入された圧雪塊は、回転ブラシ２の植針ローラ２ａ，２ａの回転によって細かく粉細され、拡大飛散防止用板６に案内されながら分散されて下方へと散らされていく。傾斜板５の上に分散される粉細された雪は、最初に第１温水噴水管３ａの噴射口から噴出される温水により瞬時に溶かされる。また傾斜板５の上に流された温水で「温かい川」が作られ、その上に落とされた雪も同時に温水噴水管３ａから出された温水によって略瞬時に融解かされる。
さらに傾斜板４の下流において第２温水噴水管３ｂの噴射口から噴出される温水により再度瞬時に融解する工夫がされる。したがって、ここでも温水で「温かい川」が再構築され、その上に落とされた雪も同時に温水噴水管３ｂから出された温水によって略瞬時に溶かされることになる。
【００２５】
融解された「温かい川」の水量は傾斜板５から流下し、湯槽９に溜められる。湯槽９に溜められた湯は、仕切り板９ｃの下を通って、隣接する回収湯槽１０にも入る。回収湯槽１０に入った湯は、水中ポンプ１４ａで吸い上げられて配管１４ｂを伝って、瞬間湯沸し器１２ｂへ送られる。瞬間湯沸かし器１２ｂに送られた水（低温湯）は、ガスボンベ１２ａから供給されるガスによって加熱され、加熱された温水は順次配管Ｐ１，Ｐ２，Ｐ３を通って、温水噴水管３ａ，３ｂ，３ｃへと送られ、温水噴水管３ａ，３ｂ，３ｃから温水を噴射し、融雪の利用に供される。
なお、配管Ｐ１，Ｐ２においては，温水噴水管３ａ；３ａ、３ｂ；３ｂへと個別の配管で接続されており、個別の配管は、その径が配管距離によっても温水噴水管３ａ、３ａ個別の噴射量が不均等になることのないように工夫されている。
以上のように、温水噴水管３ａ，３ｂ，３ｃから噴出する温水は、湯槽９に溜まった湯を瞬間湯沸し器１２ｂにより加熱して供給するもので、常時循環して使用される。
上記の温水噴射管３ａ，３ｂ，３ｃは、流れに対してこれを横切る方向に設置され、各温水噴射管３ａ，３ｂ，３ｃの温水噴射口から傾斜板のスロープを流れる粉細雪の融解された流れの上に流れ方向に噴射される。
温水噴射管を、流れを横切る方向に設置することによって、傾斜板のスロープ上の粉細雪を融解しながら流動する流れに均一的に噴射させることができ、噴射方向も流れに沿った方向に押しやるように噴射することによって、流れを促進し、円滑な流れを形成するので、流動しながらの融雪処理が効率的にできる。
【００２６】
湯槽９に貯留される温水は、ある一定量が溜まった後、雪が解けて水（低温湯）が増してきた場合には、仕切り板９ｄの一定水位排水口として形成したオーバーフロー口から排出されて、排水槽１１に溜められる。この排水槽１１の貯留水は、ドレーン弁（図示略）の開放などにより、排水口１１ａから排出される。
【００２７】
また、瞬間湯沸かし器１２ｂから送られる温水の一部を、配管Ｐ３で湯槽９に送り込み、湯槽９内で湯の回転渦を作ることができる。この回転渦の生成によって比較的解け難い氷が僅かな時間を掛けるだけで解かされるので、氷の融解を一層促進することが可能となる。
以上、これら一連のシステムで温水（又は熱水）を作りながら再循環させ、その温水で、粉末状にして溶けやすくした雪を融解するので、ホッパーから投入される圧雪塊を粉細化することと相俟って短時間で大量に溶かすことができ、一層効率的な融雪装置を提供することができる。
【００２８】
なお、これまで雪と一緒に入ると考えられる小さな石やゴミなどが、湯の循環機能に支障を及ぼす恐れがあったが、前記した第３の温水噴水管３ｃによる回転渦の形成によって、渦の底面中央の廃物蓄積凹所９ａに集め、作業終了後に排出口９ｂから排出することができるので、小さな石やゴミなどによる湯の循環機能に支障を与える恐れを回避することも可能となった。
【実施例２】
【００２９】
本発明は、傘型多段スロープを備えるものとして図６にその実施例を模式的に示す。図６に示すように、最上段の保護カバー４の下方に間隔を置いて重ねられた傾斜板５に続いて、下方に間隔を置いて重ねられた傾斜板５が配設され、傾斜板５の多段配置によって、長いスロープ５Ａが形成される。傾斜板５と傾斜板５のスペースを有した重なり部分には温水噴射管３が配置される。これによれば、前記保護カバー４によって粉細処理雪は両側に分流され、多段傘状スロープ５Ａの各側の傾斜板に沿って流される。そこで粉細雪は多段傘状スロープ５Ａにおいて、温水噴射管３からの温水噴射により融解されながら流下することとなり、温水噴射による融解処理が多段階に実施されることになる。これにより粉細雪の融解の完全化を図ることができる。
【００３０】
この実施例においては、図６に示すように、スロープ５Ａの終端近傍に、氷片破潰ローラ１５が設置することができる。この氷片破潰ローラ１５は、一対のゴム製の弾性ローラから構成される。スロープ上温水噴射によっても融解できなかった氷片が存在したとき、小石を含んだものであっても、この氷片を弾性ローラ間に加圧下で確り挟持することができる。これによって、湯槽９へ流下する直前で、氷片破潰ローラ１５を咬ますことにより、残余の氷片を含む場合であってもこれを簡単に液状化することができる。したがって、路傍盛雪の除雪の際の圧雪塊の融解処理の一層の促進を図ることができる。
【実施例３】
【００３１】
本発明は、ジグザグ多段スロープを備えるものとして図７にその実施例を模式的に示す。傾斜板５は、図７に示すように、左下に向けて下降傾斜する傾斜板と、続いて右下に向けて下降傾斜する傾斜板と、さらに続いて左下に向けて下降傾斜する傾斜板が、ジグザグ状に配置され、この傾斜板のジグザグ状の多段配置によって、ジグザグ多段スロープ５Ｂとして長いスロープが形成される。そこで各傾斜板５の上位部には保護カバー４で保護されている温水噴射管３が配置される。これによれば、傾斜板に降下する粉細雪は傾斜板で受け止められると共に、温水噴射管３からの温水噴射により融解されながら流下する。融雪水はジグザグ多段スロープ５Ｂに沿って流される。この実施例の場合も、そこで粉細雪はジグザグ多段スロープ５Ｂにおいて、温水噴射による融解処理が多段階に実施されるので、粉細雪の融解の一層の完全化を図ることができる。
【００３２】
この実施例においても、図７に示すように、スロープ５Ｂの終端近傍に、氷片破潰ローラ１５が設置される。氷片破潰ローラ１５の作用、効果については上記実施例と同様である。
【実施例４】
【００３３】
本発明は、螺旋状スロープ５Ｃを備えるものとして図８にその実施例を模式的に示す。
螺旋状スロープ５Ｃは、その中心部がスロープ支柱５Ｃｐに支持して取付けられ、その外周には螺旋周側壁５Ｃｗを備えて、スロープ塔５Ｃｔにより支持される。温水噴射管３は、スロープ上の流れを横断する方向に、螺旋周側壁５Ｃｗを貫通して適宜数設置されている。
図８に示すように、回転ブラシ２により処理された粉細雪を受容し流下案内をする先の傾斜板を螺旋状スロープ５Ｃとして形成することによって長いスロープを形成するものである。ここで、螺旋状スロープ５Ｃにおいてその上部近傍から、下部近傍に至るまでに複数の温水噴射管が、横断的に適宜設置されている。これによって、温水噴射管３により回転ブラシ２により処理され螺旋スロープ５Ｃに受容された粉細雪に温水を噴射して粉細雪を融解し、多段の融雪処理が可能となっている。かかる螺旋状スロープ５Ｃによる場合にも、先の実施例と同様、粉細雪の融解の完全化を一層促進することができる。
なお、図９は、螺旋状スロープと温水噴射管の配置を模式的に示す図である。
【図面の簡単な説明】
【００３４】
【図１】除雪車（ショベルローダー等）に牽引される粉細・多段融解型融雪装置の第１の実施例の概要図であり、（ａ）は除雪車及びこれに牽引される粉細・多段融解型融雪装置の側面概要図であり、（ｂ）は除雪車及びこれに牽引される粉細・多段融解型融雪装置の平面概要図である。
【図２】粉細・多段融解型融雪装置の回転ブラシ駆動機構の概要図であり、（ａ）は、図１（ｂ）粉細・多段融解型融雪装置の回転ブラシ駆動機構の拡大図であり、（ｂ）はＡ−Ａ線に沿って側面からみた回転ブラシ駆動機構の概要図である。
【図３】一対の回転ブラシの概要図を示し、（ａ）は斜視的概要図であり、（ｂ）はＤ−Ｄに沿った断面図を示す。
【図４】粉細・多段融解型融雪装置について、回転ブラシ駆動機構を除外し、湯槽内部の構造を模式的に示し、図２（ａ）Ｂ−Ｂ線に沿って側方からみた一部断面を含む概要図である。
【図５】図４のＤ−Ｄ線に沿ってみた一部断面で示す平面図である。
【図６】本発明の圧雪塊粉細・温水噴射多段融解型融雪処理装置の第２の実施例であり、傾斜板を、両側に分流させ得るものとして断面傘状に多段に配設した実施例を示し、さらに氷片圧砕ローラを付設した実施例を含めてこれらを模式的に示す図である。
【図７】本発明の圧雪塊粉細・温水多段噴射融解型融雪処理装置の第３の実施例であり、傾斜板をジグザグ状に多段に配設した実施例、さらに氷片圧砕ローラを付設した実施例を含めて模式的に示す図である。
【図８】本発明の圧雪塊粉細・温水多段噴射融解型融雪処理装置の第４の実施例であり、傾斜板を螺旋状スロープした実施例を模式的に示す図である。
【図９】図８の実施例４の螺旋状スロープと温水噴射管の配置を模式的に示す図である。
【符号の説明】
【００３５】
１  ホッパー
２  回転ブラシ
２ａ  針状部材植設ローラ
２ｂ  ローラ軸
３  温水噴水管
４  保護カバー
５  傾斜板
５Ａ  傘型多段スロープ
５Ｂ  ジグザグ多段スロープ
５Ｃ  螺旋状スロープ
６  拡大飛散防止用板
７  ブラシ回転機構
７ａ  モータ
７ｂ  ベルト 
７ｃ  プーリ
７ｄ  ギア
７ｅ  ベルト
８  筐体（外箱）
９  湯槽（内箱）
９ａ  廃物蓄積凹所
９ｂ  排出口
９ｃ  仕切板
９ｄ  仕切板
１０  回収湯槽
１１  排水槽
１１ａ  排水管
１２  加熱手段
１２ａ  ガスボンベ
１２ｂ  瞬間湯沸かし器
１３  配管
１４  循環給水手段
１４ａ  水中ポンプ
１４ｂ  配管
１５  氷片圧潰ローラ
Ａ  シャベル
Ｂ  コンベア
Ｃ  送給ガイド
Ｌ  除雪機
Ｓ  粉細・融解型融雪装置
Ｐ１、Ｐ２、Ｐ３  配管
【要約】
【課題】除雪装置における融雪処理の一層の効率化を図る。
【解決手段】  上部中央に設置されたホッパーから圧雪塊が投入され、下部に前記圧雪塊の融雪処理された融水を蓄積する湯槽を備えた筐体と、前記ホッパーから投入された圧雪塊を粉細する回転ブラシと、粉細された落下雪を受容し下方へと流動させる傾斜板と、傾斜板の上流位置及び下流位置の間に流れを横切る方向で設置される複数の温水噴射管とを備え、少なくとも傾斜板の上流及び下流に設置の２つの温水噴射管から流れ方向への噴水により、粉細雪を多段に融解しつつ傾斜板上を流下させる圧雪塊粉細・温水多段噴射融雪処理装置とし、必要に応じ融水に含まれた氷片を圧潰する氷片圧潰弾性ローラをも備え得る。
【選択図】図４【図１】
0004137984.tif 000002
【図２】
0004137984.tif 000003
【図３】
0004137984.tif 000004
【図４】
0004137984.tif 000005
【図５】
0004137984.tif 000006
【図６】
0004137984.tif 000007
【図７】
0004137984.tif 000008
【図８】
0004137984.tif 000009
【図９】
0004137984.tif 000010